(57)【要約】    【課題】  設置姿勢に応じ、表示プレートを自動で変位させ、且つ、設置時に表示プレートを所定の角度範囲内に規制することのできる雲台装置を提供すること。    【解決手段】  文字や記号を表示した表示部を形成し、少なくとも2つ以上の姿勢で設置する雲台装置において、回転中心と重心位置が異なる回転自在の表示板と、前記表示板と相対的角度関係に固定された角度誘導部材と  雲台装置と前記角度誘導部材の相対的な角度関係を規制する角度規制手段を持つことを特徴とする構成とした。【選択図】    図１
2014145407.tif 000002
【特許請求の範囲】
【請求項１】
文字や記号を表示した表示部を形成し、少なくとも2つ以上の姿勢で設置する雲台装置において、回転中心と重心位置が異なる回転自在の表示板と、前記表示板と相対的角度関係に固定された角度誘導部材と
雲台装置と前記角度誘導部材の相対的な角度関係を規制する角度規制手段を持つことを特徴とする雲台装置。
【請求項２】
前記角度誘導部材は前記雲台装置の設置面によって、前期回転中心回りの角度関係が決まることを特徴とする請求項1に記載の雲台装置。
【請求項３】
前記表示部と相対的角度関係を持つ規制面を有する前記角度誘導部材と、前記雲台装置の設置面と当接することで移動する角度規制部材と、前記雲台装置の設置時に前記角度規制部材が前記規制面の回転を規制する位置となる事を特徴とする請求項2に記載の雲台装置。
【請求項４】
表示部と角度関係を持つ磁性体からなる規制面を有する角度誘導部材と、磁石を具備する角度規制部材を有し、前記雲台装置の設置によって前記角度誘導部と前記磁石の間に引力が作用する位置に前記角度規制部材が位置することを特徴とする請求項1または2に記載の雲台装置。
【請求項５】
前記移動部材と前記規制面の距離関係が離れる方向に付勢する手段を有することを特徴とする請求項1、3、4のいずれか1項に記載の雲台装置。
【発明の詳細な説明】
【技術分野】
【０００１】
本発明は、雲台装置に関し、特に異なる姿勢で設置を可能とした雲台装置に関するものである。
【背景技術】
【０００２】
従来、外装面に会社名や製品名等の文字情報を表示した雲台装置が知られている。このような装置は、正立の設置や天井吊下げ設置等、異なる姿勢で設置可能であるが、天井吊下げ時は表示される文字情報がさかさまに表示されるという問題があった。
【０００３】
前記問題を解決するために、特許文献１では、雲台装置に設けられた表示プレートの向きを、正立の設置や天井吊下げ等の設置姿勢に応じ、手動で容易に変更できる構造が開示されている。
【０００４】
特許文献２は電子機器に設けられた表示プレートが、設置姿勢に応じて自重により自動で回転し、表示プレートの向きを変更できる構造が開示されている。
【先行技術文献】
【特許文献】
【０００５】
【特許文献１】特許第4419949号明細書
【特許文献２】特許第3612481号明細書
【発明の概要】
【発明が解決しようとする課題】
【０００６】
しかしながら、上述の特許文献1に開示された従来技術では、設置作業者にとって、表示プレートの向きを変更する作業を忘れてしまう可能性がある。その為、天井吊下げ時等で、外装面の会社名や製品名等が、天地逆で表示されるという問題点がある。
【０００７】
特許文献２に開示された従来技術では、回転軸の引っかかりなどで表示プレートが回転しきれない場合に外装面の会社名や製品名等が、傾いた状態で表示されるという問題点ある。また、表示プレートが固定されていないため、外力によって回転プレートが動くという問題点がある。
【０００８】
そこで本発明の目的は、設置姿勢に応じ、表示プレートを自動で変位させ、且つ、設置時に表示プレートを所定の角度範囲内に規制することのできる雲台装置を提供することである。
【課題を解決するための手段】
【０００９】
上記目的を達成するために、本発明のカメラハウジングは以下を特徴とする。
【００１０】
文字や記号などを表示した表示部を形成し、少なくとも2つ以上の姿勢で設置する雲台装置において、回転中心と重心位置が異なる回転自在の表示板と、前記表示板と相対的角度関係に固定された角度誘導部材と、雲台装置と前記角度誘導部材の相対的な角度関係を規制する角度規制手段を持つことを特徴とする雲台装置。
【発明の効果】
【００１１】
本発明によれば、設置姿勢に応じ、表示プレートを自動で変位させ、且つ、設置時に表示プレートを所定の角度範囲内に規制することのできる雲台装置を提供することが出来る。
【図面の簡単な説明】
【００１２】
【図１】雲台装置を正立で設置した状態を表す全体斜視図
【図２】図1の表示プレート部の拡大図
【図３】図2のX-X断面図
【図４】図3の側面図
【図５】図4に対し倒れた角度誘導部材が設置される状態を表した図
【図６】図4に対し天井吊り下げ設置時の角度誘導部材の状態を表した図
【図７】実施例2の表示プレート部を表した断面図
【図８】図7の側面図
【図９】実施例2の表示プレート部の表示文字を示した図
【図１０】図7に対し雲台装置が設置面から離れた状態を示した図
【図１１】図8に対し雲台装置が天井吊り下げ姿勢に設置される状態を示した図
【図１２】実施例3の表示プレート部を示した断面図
【図１３】図１２の側面図
【図１４】実施例３の表示プレート部の表示文字を示した図
【図１５】図１２に対し雲台装置が天井吊り下げ姿勢に設置される状態を示した図
【発明を実施するための形態】
【００１３】
以下に、本発明の好ましい実施の形態を、添付の図面に基づいて詳細に説明する。
【００１４】
［実施例１］
以下、図1から図6を参照して、本発明の第1の実施例による、雲台装置について説明する。図1は本発明の雲台装置の全体図であり、1は雲台装置。2はカメラを収納するハウジング、3はヘッド部で電動でパンチルト駆動をするための不図示の駆動部が格納されている。4は台座部でヘッド部2と連結され、且つボルト6によって架台等に固定される。5は表示プレートで、外装面に文字などの情報を表示し、台座部4の外装面に挿入されている。
【００１５】
図2は表示プレート5部の拡大図、図3は雲台装置11が正立で設置された状態の表示プレート5部を示した図2のX-X断面図、図4は図3の側面図である。
【００１６】
図3において、表示プレート5は回転軸5bを有し、回転軸5bは台座部4の外装部である台座筐体4aに挿入されている。表示プレート5は、たとえばおもり5cなどを具備し、回転中心と異なる位置に重心を有している。表示プレート5が回転自在の状態にあるとき、表示プレート5の重心位置は外装面の文字5aの天地が適切な角度関係に表示される位置関係にある。
【００１７】
7は角度誘導部材である。角度誘導部材7は嵌合部7aによって、台座筐体4aの嵌合部4bと嵌合し摺動回転する。角度誘導部材7は対向する2辺以上の平面を有する板状ものであり、前記平面部の対向する一対の平面7bと7cは、表示プレート5の文字5aの中心線5dと略等しく直角になるよう回転軸5bにネジ等で固定されている。
【００１８】
8は台座蓋であり、台座筐体4aの底面にネジ等で固定されている。台座蓋8は角度誘導部7の回転を妨げない大きさの開口部8aを有している。
【００１９】
次に雲台装置の設置時の状態を説明する。
【００２０】
図4のように雲台装置の正立姿勢の設置時は角度誘導部材7の平面部7bは設置面9aに近接または当接し回転を規制されている。その際の表示プレート5は設置面に向かって自重している。雲台装置1が設置されていない状態にあるとき、雲台装置1の底面は設置面から離れ、角度誘導部材7は回動自在の状態で台座筐体4aに保持される。
【００２１】
図5は角度誘導部材9の平面7bが設置面9aに対し角度を有した状態で当接しようとした時の状態を表した図である。角度誘導部材7が平面部7bの角部で設置面9aに当接した際、角度誘導部材7は設置面9aにより付勢され、その力は嵌合部7aを中心として回転する力に変化する。その力によって角度誘導部材7は矢印10の方向に回転移動し、角度誘導部材7の平面部7bは雲台装置1の底面と略等しい角度まで回転し、図4の状態となる。それにより表示プレート5の文字5aは適切な角度位置に回転規制される。
【００２２】
次に雲台装置を正立から天井吊り下げ姿勢に設置状態を変更する場合の説明をする。
図6は天井吊り下げ時の角度誘導部材の状態を表している。雲台装置1を正立から天井吊り下げに設置姿勢を変えようとする場合、雲台装置1は天地を逆にして台座4をボルトなどの締結部材で設置面に固定する。雲台装置1が天地逆になる時、表示プレート5は自重が作用し、表示プレート5の絶対姿勢を保持しようとする力が発生する。それに伴い角度誘導部材7の嵌合部7aと台座筐体4aの嵌合部4bは摺動回転し、表示プレート5の文字5aは偏心したおもり5cの自重によって姿勢を保持したまま、雲台装置1は天地逆転し天井吊り下げ姿勢に変更される。よって角度誘導部材7は正立設置時に当接する平面7bと相対する平面7cが設置面9bに近接あるいは当接し、角度誘導部材7の回転は規制されることで、表示プレート5の文字5aは適切な角度位置に回転規制される。
【００２３】
上記構成の雲台装置によれば、雲台装置を設置することによって、表示プレートは設置姿勢に応じた適切な表示を行うことができる。
【００２４】
［実施例2］
以下、図7から図11を参照して、本発明の第2の実施例による、雲台装置について説明する。図7は雲台装置が正立で設置された状態の実施例2の表示プレート部の断面図である。図8は図7の側面図である。図9は実施例2の表示プレート部の外装面である。図10は雲台装置1が設置面9aから離れた際の表示プレート部の状態を示した図である。
【００２５】
図7において13は角度規制部材である。角度規制部材13は平面13aを有し、ストッパー13bを具備している。14は台座蓋で穴部14aを有している。台座蓋14には、カバー18がビス等の締結部材で固定されている。カバー18は凸形の蓋状のもので、凸面には開口部18aを有している。15はバネなどの付勢部材である。
【００２６】
角度規制部材13は台座蓋14の穴部14a及びカバー18の開口部18aにそれぞれ貫通し、上下に移動可能に挿入されている。付勢部材15はカバー18とストッパー13bの間に挟まれ、雲台装置1が設置面9aより離れた際、角度規制部材13を台座蓋14より押し出す方向に付勢する。その際、角度規制部材13はストッパー13bが台座蓋14に当接し台座筐体16内で保持され、図10の状態となる。12は表示プレートであり、表示プレート12の回転軸は台座筐体16の嵌合穴16aに摺動可能に嵌合されている。表示プレート12は、たとえばおもり12cなどを具備し、回転中心と異なる位置に重心を有している。表示プレート12の重心位置は、表示プレート12が回転自在の状態にあるとき、表示プレート12の外装面の文字12aは天地が適切な角度関係に表示される位置関係にある。
【００２７】
17は角度誘導部材であり、角度誘導部材17は対向する2辺以上の平面を有し、前記平面部の対向する一対の平面17aと17bは、表示プレート12の文字12aの中心線12dと略等しく垂直になるよう回転軸12bにビス、ピン等で固定されている。
【００２８】
角度誘導部材17は角度誘導部材17の平面17aまたは17bは角度規制部材13が設置面により付勢された際、角度規制部材13の平面13aに当接する位置で保持される。
【００２９】
図7及び図8では角度規制部材13は設置面9aによって付勢され、角度誘導部材17に向かって押し上げられている。その際角度規制部材13の平面部13aは角度誘導部材17の平面17aに近接または当接することにより、表示プレート12の文字12aが適切な角度位置に回転規制される。台座筐体16の底面16bが設置面9aから離れるとき、図10のように角度規制部材13は付勢部材15の力によって台座筐体16から押し出される方向に付勢される。同時に角度規制部材13の平面部13aは角度誘導部材17の平面17aから離れ、角度誘導部材17は回転可能に保持される。
【００３０】
図11において設置状態を天井吊り下げ姿勢に変更する際の説明を行う。図11は雲台装置1が天井吊り下げ姿勢に設置される状態を表している。雲台装置1を天井吊り下げ姿勢に変更する際、表示プレート12は第一の実施例1と同様に自重によって表示の向きを保持したまま、雲台装置1は天地逆転し天井吊り下げ姿勢に変更される。雲台装置1が設置面9bに当接し角度規制部材13が設置面9bにより角度誘導部材17に向かって付勢される。角度規制部材13の平面部13aは、正立設置時に近接または当接する平面17aと相対する平面17bに近接または当接し、角度誘導部材17の回転を規制する。平面17aまたは17bが平面13aに対し仮想線17cのように角度を有した状態で当接した際、角度誘導部材17は角度規制部材13の平面13aにより付勢され、その力は回転軸を中心として回転する力に変化する。その力によって角度誘導部材17は回転移動し、角度誘導部材17の平面部17bは雲台装置の底面と略等しい角度まで回転する。それにより角度誘導部材17の平面部17bは角度規制部材13の平面13aと近接または当接し、よって表示プレート12の文字12aが適切な角度位置に回転規制される。
【００３１】
上記構成によれば、第一の実施例と同様の効果を得る事が出来ると同時に、台座蓋の開口部をなくし雲台内部の機密性を確保することができる。
【００３２】
［実施例3］
以下、図12から図15を参照して、本発明の第3の実施例による、雲台装置について説明する。図12は雲台装置が正立で設置された状態の実施例3の表示プレート部の断面図である。図13は図12の側面図である。図14は実施例3の表示プレート部の外装面である。
【００３３】
26は表示プレートであり、表示プレート26の回転軸26bは台座筐体23の嵌合穴23aに摺動可能に嵌合されている。表示プレート26は、たとえばおもり26cなどを具備し、回転中心と異なる位置に重心を有している。表示プレート26が回転自在の状態にあるとき、表示プレート26の重心位置は、表示プレート26の外装面の文字26aは天地が適切な角度関係に表示される位置関係にある。19は角度誘導部材である。角度誘導部材19は金属などの磁性体からなる長形であり、表示プレート26の文字26aの中心線26dと略等しく平行になるよう回転軸26bにビス等で固定されている。
【００３４】
20は角度規制部材である。角度規制部材20は磁石21を具備し、台座蓋22に回転支持部24により回転可能に支持されている。25はバネなどの付勢部材で、角度規制部材20が設置面9aに付勢されない状態にあるとき、角度規制部材20を角度誘導部材19から離す方向に付勢している。
【００３５】
雲台装置1が正立の状態で設置されたとき、角度規制部材20は設置面9aに台座筐体23の内部に向かって付勢されている。その力は回転支持部24を中心として角度規制部材20に回転する力として働き、角度規制部材20は回転移動し図12の状態になる。それにより、角度規制部材20に具備した磁石21は角度誘導部材19の規制部19aに引力が作用する距離へ移動し、角度誘導部材19は磁石21の磁力によって回転を規制される。それにより表示プレート26の文字26aが適切な角度位置に回転規制され。雲台装置1が設置面9aから離れるとき、角度規制部材20は付勢部材25の力によって回転支持部24を回転中心として仮想線20aのように回転し、角度誘導部材19から離れる方向へ回転移動する。よって、角度誘導部材19と磁石21は引力が作用しない距離関係に離れ、角度誘導部材19は回転可能に保持される。このとき角度誘導部材19と磁石21が引き合う力よりも、付勢部材25の力の方が強い関係にあるものとする。
【００３６】
図15において設置状態を天井吊り下げ姿勢に変更する際の説明を行う。図15は雲台装置1が天井吊り下げ姿勢に設置される状態を表している。雲台装置1を天井吊り下げ姿勢に変更する際、表示プレート26は第一の実施例と同様に自重によって表示の向きを保持したまま、雲台装置1は天地逆転し天井吊り下げ姿勢に変更される。雲台装置1が設置面9bに当接し角度規制部材20が設置面9bに付勢されるとき、角度規制部材20は回転支持部24によって仮想線20bのように回転移動する。その際、角度規制部材20の磁石21は角度誘導部材19の規制部19bを磁力にてひきつけ、角度誘導部材19の回転を規制する。これによって表示プレート26の文字26aは適切な角度位置に回転規制される。
上記構成によれば、第一の実施例と同様の効果を得る事が出来る。
【００３７】
以上、本発明の好ましい実施形態について説明したが、本発明はこれらの実施形態に限定されず、その要旨の範囲内で種々の変形及び変更が可能である。
【符号の説明】
【００３８】
1  雲台装置1
4  台座部
5  表示プレート
7  角度誘導部材
13  角度規制部材
15  付勢部材
17  角度誘導部材
19  角度誘導部材
20  角度規制部材
21  磁石
25  付勢部材
【図１】
2014145407.tif 000003
【図２】
2014145407.tif 000004
【図３】
2014145407.tif 000005
【図４】
2014145407.tif 000006
【図５】
2014145407.tif 000007
【図６】
2014145407.tif 000008
【図７】
2014145407.tif 000009
【図８】
2014145407.tif 000010
【図９】
2014145407.tif 000011
【図１０】
2014145407.tif 000012
【図１１】
2014145407.tif 000013
【図１２】
2014145407.tif 000014
【図１３】
2014145407.tif 000015
【図１４】
2014145407.tif 000016
【図１５】
2014145407.tif 000017